(57)【要約】【課題】電力を使用せず、かつ簡単な構成でカメラ本体の内部を冷却する。【解決手段】固定筒２１が撮影者によって回転されると、固定筒２１の回転にともなって第１ギヤ２９が回転する。第１ギヤ２９が回転すると、これと噛み合う連動ギヤ３１が回転し、さらに、連動ギヤ３１と噛み合う第２ギヤ３５が回転する。そして、第２ギヤ３５の回転にともなって冷却ファン３３が図４中矢印Ｃ方向に回転する。冷却ファン３３回転すると、冷却ファン３３から冷却風が送風され、カメラ本体１２内に強制対流が起こる。これにより、カメラ本体１２の内部、特に、熱を発するＣＣＤイメージセンサ２８や回路基盤２９のＣＰＵ２９ａが冷却される。【選択図】        図３
2006162989.tif 000002
【特許請求の範囲】
【請求項１】
内部に撮影機構が設けられたカメラにおいて、
カメラ本体の内部に回転自在に設けられた冷却ファンと、
前記カメラ本体の外部に露呈し、前記冷却ファンを回転させるための回転操作部と、
前記回転操作部の操作に連動して前記冷却ファンを回転させる連動機構とを備えたことを特徴とするカメラ。
【請求項２】
前記回転操作部は、被写体画像のズーミングを行う際に回転されるレンズ鏡筒であることを特徴とする請求項１記載のカメラ。
【発明の詳細な説明】
【技術分野】
【０００１】
カメラ本体の内部を冷却するカメラに関するものである。
【背景技術】
【０００２】
近年、ＣＣＤ等の撮像素子を用いて撮像した画像データをデジタルデータとしてメモリカード等の電子記憶媒体に記憶するデジタルカメラが普及してきている。デジタルカメラで画像を撮像すると、例えばＣＣＤで蓄電された電荷の転送などが原因となってＣＣＤやＣＣＤの駆動回路が発熱する。ＣＣＤが発熱すると、温度上昇に伴ってノイズが発生し、ＣＣＤで撮像を行って得られる画像が劣化してしまう。
【０００３】
このため、例えば、ＣＣＤの温度に応じて冷却ユニットを制御する（特許文献１）、冷却ファンによってＣＣＤを用いるビデオカメラ内を冷却する（特許文献２）、ＣＣＤを用いる監視カメラに内部で発生した熱を排熱する排熱部を設ける（特許文献３）、ＣＣＤから電荷を出力する複数の出力手段の出力特性が同一になるようにＣＣＤの温度を調節する（特許文献４）、カメラ内にヒートパイプを設け、ヒートパイプを移動してきた熱を冷却部材によって冷却する（特許文献５）など様々な提案がなされている。
【特許文献１】特開２００３−３０４４２０号公報
【特許文献２】特開平１０−２８５４４１号公報
【特許文献３】特開平９−１７２５６４号公報
【特許文献４】特開２００３−１９７８９４号公報
【特許文献５】特開２００４−１４０４２９号公報
【発明の開示】
【発明が解決しようとする課題】
【０００４】
しかしながら、特許文献１，２，４で示されたＣＣＤの冷却方法は、いずれも、電力を必要とするため、デジタルカメラに採用すると電力の消耗が激しくなってバッテリーを使用できる時間が短くなってしまうという欠点があった。また、特許文献３，５では、排熱のための通路やヒートパイプを設ける必要があるため、デジタルカメラの構造を大幅に変更しなければならず、デジタルカメラの製造コストが上昇してしまうという欠点があった。
【０００５】
本発明は、上記課題を解決するためになされたもので、電力を使用せず、かつ簡単な構成でカメラ本体の内部を冷却することができるカメラを提供することを目的とする。
【課題を解決するための手段】
【０００６】
請求項１記載のカメラは、内部に撮影機構が設けられたカメラにおいて、カメラ本体の内部に回転自在に設けられた冷却ファンと、前記カメラ本体の外部に露呈し、前記冷却ファンを回転させるための回転操作部と、前記回転操作部の操作に連動して前記冷却ファンを回転させる連動機構とを備えたものである。
【０００７】
なお、前記回転操作部は、被写体画像のズーミングを行う際に回転されるレンズ鏡筒であるものであることが好ましい。
【発明の効果】
【０００８】
請求項１記載のカメラでは、カメラ本体の内部に回転自在に設けられた冷却ファンと、カメラ本体の外部に露呈し、冷却ファンを回転させるための回転操作部と、回転操作部の操作に連動して冷却ファンを回転させる連動機構とを備えたので、手動でカメラ本体内部に強制対流を起こさせることが可能になり、電力を使用せず、かつ簡単な構成でカメラ本体の内部を冷却することができる。
【０００９】
前記回転操作部は、被写体画像のズーミングを行う際に回転されるレンズ鏡筒であるので、冷却ファンを回転させるための操作を撮影に伴う操作と別個に行う必要がなくなり、撮影者に冷却ファンを回転させるための操作に違和感を感じることなく行わせることができる。
【発明を実施するための最良の形態】
【００１０】
図１に示すように、本発明のカメラの１つであるデジタルカメラ（以下、「カメラ」と省略する。）１０は、内部に撮影機構が設けられたカメラ本体１１を備えている。カメラ本体１１は、略円柱形状のズームレンズ装置１２を備えている。
【００１１】
図２及び図３に示すように、ズームレンズ装置１２は２群ズームレンズ装置であり、回転自在な固定筒（レンズ鏡筒）２１、固定筒２１の内側に収納された移動筒２２を備えている。移動筒２２の外周面には全周にわたって一段高く形成された突起２２ａが形成されている。固定筒２１の内周面には、突起２２ａが係合可能な係合溝２１ａが全周にわたって形成されている。そして、突起２２ａを係合溝２１ａに係合させることにより、移動筒２２と固定筒２１との互いの相対的な位置が位置決めされ、移動筒２２が固定筒２１に固定される。
【００１２】
ズームレンズ装置１２では、撮影者が手動操作によって固定筒２１を回転させると前群レンズ２３と後群レンズ２４との互いの相対的な距離が変化しながら光軸Ｌの方向に沿って移動する。これにより、被写体画像のズーミングが行われる。
【００１３】
移動筒２２の外周面には内部に貫通するガイド溝２２ｂが３本形成されている。ガイド溝２２ｂは光軸Ｌに沿って直線上に形成されており、移動筒２２の外周面の周方向に沿って１２０度ごとの間隔で配置されている。
【００１４】
移動筒２２内には、前群レンズ２３を支持する円環状の支持枠２５及び後群レンズ２４を支持する円環状の支持枠２６が収納されている。支持枠２５，２６のそれぞれの外周には、支持枠２５，２６の外周面を周方向に沿って３本のピン２５ａ，２６ａが設けられている。各ピン２５ａ，２６ａは１２０度ごとの間隔で配置されており、ガイド溝２２ｂのそれぞれに挿通されている。これにより、支持枠２５，２６はガイド溝２２ｂにガイドされ、光軸Ｌの軸方向に沿って移動する。なお、後群レンズ２４を支持枠２６内で移動させることによってピントの調節を行うオートフォーカス機構が設けられているが、詳しい説明は省略する。
【００１５】
固定筒２１の内周面にはカム面を備えたカム溝２７が３本形成されている。カム溝２７は、光軸Ｌの軸方向に対して傾くように形成されており、固定筒２１の内周面の周方向に沿って１２０度ごとの間隔で配置されている。そして、移動筒２２は、それぞれのカム溝２７がガイド溝２１ａに重なった状態となるように固定筒２１に収納されている。カム溝２７には、ガイド溝２１ａから突出したピン２５ａ，２６ａの先端部が挿入されている。固定筒２１が図中矢印Ａ方向に回動されると、カム溝２７のカム面の押圧により移動筒２２が被写体側へ移動し、移動筒２２は固定筒２１から突出する。固定筒２１が図中矢印Ｂ方向に回動されると、カム溝２７のカム面の押圧により移動筒２２が被写体側と反対側へ移動し、移動筒２２は固定筒２１に収納される。
【００１６】
移動筒２２内には、後群レンズ２４の後方（被写体側と反対側）に位置するようにＣＣＤイメージセンサ２８が設けられている。このため、被写体画像は前群レンズ２３及び後群レンズ２４を介してＣＣＤイメージセンサ２８の光電面に結像される。また、ＣＣＤイメージセンサ２８の後方には、ＣＣＤイメージセンサ２８の駆動制御などを行う回路基盤２９が設けられている。回路基盤２９の前面には例えばＣＰＵ２９ａなどの回路素子が設けられている。
【００１７】
図４に示すように、固定筒２１の内周面には第１ギヤ３０が一体に設けられている。詳しくは後述するように、第１ギヤ３０は連動ギヤ３１及び第２ギヤ３５とともに連動機構を構成する。第１ギヤ３０は固定筒２１の中心に向けて突出する複数のギヤ歯３０ａからなる。移動筒２２の外周面には、ＣＣＤイメージセンサ２８と回路基盤２９との間に位置するように、その周方向に沿って内部に貫通したギヤ溝２１ｃが形成されている。ギヤ溝２１ｃのピッチは固定筒２１を回転操作したときの最大回転量と略同一に設定されている。ギヤ溝２１ｃは、固定筒２１に移動筒２２を固定した場合に、第１ギヤ３０と対峙する位置に配置されている。このため、固定筒２１に移動筒２２を固定すると、各ギヤ歯３０ａがギヤ溝２１ｃから移動筒２２内に突出するとともに、移動筒２２内でＣＣＤイメージセンサ２８と回路基盤２９との間で光軸Ｌに向けて突出した状態となる。
【００１８】
ギヤ歯３０ａには連動ギヤ３１が噛み合っている。連動ギヤ３１は円盤状に形成されており、その端面の全周にわたってギヤ歯が形成されている。移動筒２２の内周面にはＬ字形状に折れ曲がり、先端が回路基盤２９側を向いた円柱状の支持部材３２が設けられている。支持部材３２には連動ギヤ３１が回転自在となるように取り付けられている。連動ギヤ３１には、固定筒２１が回転したときに、その回転力がギヤ歯３０ａによって伝達される。これにより、固定筒２１の回転にともなって連動ギヤ３１が回転する。
【００１９】
移動筒２２内には、ＣＣＤイメージセンサ２８と回路基盤２９との間に位置するように冷却ファン３３が設けられている。移動筒２２の内周面にはＬ字形状に折れ曲がり、先端がＣＣＤイメージセンサ２８に向いた円柱状の支持部材３４が形成されている。
【００２０】
冷却ファン３３は４枚の羽根３３ａと円筒状のブラケット３３ｂとから構成されている。羽根３３ａはそれぞれ９０度ごとにブラケット３３ｂの外周面から突出しているブラケット３３ｂは支持部材３４に回転自在に取り付けられている。これにより、冷却ファン３３は、羽根３３ａの幅広面が光軸Ｌの軸方向を向いた状態で軸支されている。
【００２１】
ブラケット３３ｂの前端面には、ブラケット３３ｂよりも外径の大きい第２ギヤ３５が一体に取り付けられている。第２ギヤ３５は円盤状に形成されており、その端面の全周にわたってギヤ歯が形成されている。第２ギヤ３５は冷却ファン３３とともに回転する。第２ギヤ３５は連動ギヤ３１に噛み合っている。これにより、連動ギヤ３１の回転量が第２ギヤ３５に伝達される。
【００２２】
次に上記構成による作用について説明する。被写体画像のズーミングを行うときには、撮影者は固定筒２１を手動により回転させる。撮影者が図２中矢印Ａ方向に固定筒２１を回転させると移動筒２２が固定筒２１から突出する。これにより、前群レンズ２３と後群レンズ２４が光軸Ｌの軸方向に沿って被写体側に向けて移動し、被写体画像が拡大される。
【００２３】
固定筒２１が撮影者によって回転されると、固定筒２１の回転にともなって第１ギヤ３０が回転する。第１ギヤ３０が回転すると、これと噛み合う連動ギヤ３１が回転し、さらに、連動ギヤ３１と噛み合う第２ギヤ３５が回転する。そして、第２ギヤ３５の回転にともなって冷却ファン３３が図４中矢印Ｃ方向に回転する。冷却ファン３３回転すると、冷却ファン３３から冷却風が送風され、カメラ本体１２内に強制対流が起こる。これにより、カメラ本体１２の内部、特に、熱を発するＣＣＤイメージセンサ２８や回路基盤２９のＣＰＵ２９ａが冷却される。
【００２４】
また、撮影者が図２中矢印Ｂ方向に固定筒２１を回転させると移動筒２２が固定筒２１内に収納される。これにより、前群レンズ２３と後群レンズ２４が光軸Ｌの軸方向に沿って被写体側と反対側に移動し、被写体画像が縮小される。このとき冷却ファン３３は図４中矢印Ｄ方向に回転する。冷却ファン３３回転すると、冷却ファン３３から冷却風が送風され、カメラ本体１２内に強制対流が起こる。これにより、カメラ本体１２の内部、特に、熱を発するＣＣＤイメージセンサ２８や回路基盤２９のＣＰＵ２９ａが冷却される。
【００２５】
上記実施形態では、被写体画像のズーミングの際に固定筒２１を回転させると冷却ファン３３が回転するようにしたが、冷却ファンを回転させる専用の回転操作部を設けてもよい。次に、この場合の例について説明するが、上記実施形態と同一の部材については同じ符号を用いて詳しい説明を省略する。
【００２６】
例えば図５に示すように、デジタルカメラ４０のカメラ本体４１の上面に回転操作部４２を設けることにより実現可能となる。カメラ本体４１には図示しないＣＣＤイメージセンサやレンズなどの撮影機構が設けられている。カメラ本体４１の上面には、従来の写真カメラのフイルム巻き上げノブと同様の形状をした回転操作部４２が設けられている。回転操作部４２は円盤状に形成されており、その一方の面に軸４３が設けられている。軸４３はカメラ本体４１の上面に設けられた孔４１ａからカメラ本体４１内に挿入されている。軸４３が孔４１ａに挿入された状態では軸４３は略鉛直方向を向いた状態となる。軸４３の先端には第１ベベルギヤ４４が略水平な状態で取り付けられている。第１ベベルギヤ４４は第２ベベルギヤ４５と噛み合っている。第２ベベルギヤ４５は略垂直な状態となるようにカメラ本体４１の背面から突出する軸４６に軸支されている。第２ベベルギヤ４６には、カメラ本体４１の前方に向かって突出する冷却ファン３３が一体に取り付けられている。冷却ファン３３の前方には回路基盤２９が設けられている。なお、第１ベベルギヤ４４及び第２ベベルギヤ４５は連動機構を構成する。
【００２７】
撮影者がカメラ本体４１内を冷却する場合には、従来の写真カメラの巻き上げノブと同様に回転操作部４２を回転させる。これにともない、第１ベベルギヤ４４が回転する。第１ベベルギヤ４４が回転すると、これと噛み合う第２ベベルギヤ４５が回転する。第２ベベルギヤ４５が回転すると、冷却ファン３９が回転して冷却風が送風され、カメラ本体４１内に強制対流が起こる。これにより、回路基盤２９のＣＰＵ２９ａが冷却される。なお、回転操作部の形状については適宜の形状にしてよいが、従来のカメラに設けられていた操作部と同様の形状にすることが好ましい。これにより、撮影者が冷却ファンを手動で回転させることへの違和感を低減することができる。
【００２８】
上記実施形態では、固定筒２１を回転させることによって冷却ファン３３を回転させたが、例えばズームリングを用いて被写体画像のズーミングを行うカメラにおいて、ズームリングを回転させたときに冷却ファンを回転させるなど、手動操作によって冷却ファンが回転すれば、冷却ファンを回転させる操作部は適宜の操作部と兼用させてよい。また、冷却ファンを設ける位置、冷却風を送付する箇所は適宜に設定してよい。
【産業上の利用可能性】
【００２９】
本発明は、デジタルカメラに限らず、例えばビデオカメラなど、カメラ本体内部の冷却を必要とするカメラに等しく適用することができる。
【図面の簡単な説明】
【００３０】
【図１】本発明のカメラの外観を示す斜視図である。
【図２】ズームレンズ装置の横断面図である。
【図３】ズームレンズ装置の分解斜視図である。
【図４】ズームレンズ装置の縦断面図である。
【図５】冷却ファンを回転させる専用の回転操作部を設けたカメラを示す説明図である。
【符号の説明】
【００３１】
１０，４０  カメラ
２１  固定筒（レンズ鏡筒）
２２  移動筒
２８  ＣＣＤイメージセンサ
２９  回路基盤
３０  第１ギヤ
３１  連動ギヤ
３３  冷却ファン
３５  第２ギヤ
４２  回転操作部
４４  第１ベベルギヤ
４５  第２ベベルギヤ
【図１】
2006162989.tif 000003
【図２】
2006162989.tif 000004
【図３】
2006162989.tif 000005
【図４】
2006162989.tif 000006
【図５】
2006162989.tif 000007